(57)【要約】      （修正有）【課題】太陽光パネルや高所に設置された街頭広告、高層階のガラス窓など、高所、広範囲の洗浄に適した純水洗浄装置を提供する。【解決手段】イオン交換樹脂が充填され、該精製タンク２に注入した水道水を純水に精製する精製タンク２を構成する。該精製タンク２で精製された純水を給水ホース５で給水する給水ポンプ３を設ける。精製タンク２と給水ポンプ３とバッテリー４とをキャリア１に設置する。給水ホース５を洗浄面まで支持する支持パイプ６を設ける。該支持パイプ６の先端に着脱自在に装着され、洗浄面を洗浄せしめる洗浄ブラシを設ける。支持パイプ６はチタン製とカーボン製の支持パイプ６が選択自在に連結される。【選択図】図１
0003161830.tif 000002
【実用新案登録請求の範囲】
【請求項１】
イオン交換樹脂が充填され、該精製タンクに注入した水道水が精製タンク内部のイオン交換樹脂に接することで純水に精製されるように構成した精製タンクと、該精製タンクで精製された純水を給水ホースで給水する給水ポンプと、該給水ポンプを稼動せしめるバッテリーとをキャリアに設置して移動自在に構成し、精製タンクから純水を給水せしめる給水ホースを洗浄面まで支持する支持パイプと、該支持パイプの先端に着脱自在装着され洗浄面を洗浄せしめる洗浄ブラシと、を備えたことを特徴とする純水洗浄装置。
【請求項２】
前記洗浄ブラシは、前記支持パイプの先端部に着脱自在に装着され、モーターにて回転せしめる左右一対の回転ブラシ体を備え、該回転ブラシ体はそれぞれ交換自在に構成された請求項１記載の純水洗浄装置。
【請求項３】
前記支持パイプは、チタン製の支持パイプとカーボン製の支持パイプとが組み合わせ自在に構成され、一定長さの各支持パイプが互いにネジ止めされる連結端部を有すると共に、給水ホースに巻き付けて給水ホースを支持パイプに固定する面ファスナー製の固定ベルトを装着した請求項１記載の純水洗浄装置。
【請求項４】
前記給水ポンプは、洗浄液を吸い上げて前記支持パイプに前記給水ホースと共に併設される洗浄液ホースから配水するように構成された請求項１記載の純水洗浄装置。
【考案の詳細な説明】
【技術分野】
【０００１】
本考案は、太陽光パネルや高所に設置された街頭広告、高層階のガラス窓などを洗浄するのに好適な純水洗浄装置に係り、特に純水を使用することによって水垢を残さずに洗浄することができる純水洗浄装置に関する。
【背景技術】
【０００２】
半導体デバイス等の電子部品を洗浄する際に、純水に水素ガスやアルカリイオン等を溶解した洗浄用機能水の製造方法が特許文献１に記載されている。この洗浄用機能水は、不純物が混じらない純水で洗浄することで、洗浄後に不純物が残らないようにしたもので、特に、純水に水素ガスやアルカリイオン等を溶解せしめることで、電子部品の基板洗浄用として有用な洗浄用機能水を提供するものである。
【０００３】
一方、表面の汚れが発電量に影響を与える太陽光パネル等においても、不純物が残らないように洗浄する必要がある。このような太陽光パネルや、高所に設置された街頭広告、高層階のガラス窓などを洗浄する場合、従来では、水道水のホースを延ばして洗浄する方法や、あるいはバケツ等に汲み上げた水や洗剤で洗浄する方法にて洗浄している。
【先行技術文献】
【特許文献】
【０００４】
【特許文献１】特許第３５８２９７８号公報
【考案の概要】
【考案が解決しようとする課題】
【０００５】
特許文献１に記載されている如き特殊な洗浄用機能水を使用すると、洗浄後の水垢残留を防止できるが、太陽光パネルや高所に設置された街頭広告、高層階のガラス窓などを洗浄するには大量の洗浄水が必要になる。そのため、極めて大掛かりな洗浄水製造装置が必要になり、装置の規模及び製造コストの観点から、太陽光パネル等の洗浄に利用することは困難であった。
【０００６】
また、水道水のホースを延ばして洗浄する方法や、あるいはバケツ等に汲み上げた水や洗剤で洗浄する方法によると、水道水に含まれているミネラルや有機物が乾燥して水垢として残り、あるいは、洗剤の影響で乾燥した洗浄面に静電気が発生して微細なゴミ等を付着するおそれがある。しかも、太陽光パネルや街頭広告などの洗浄には、半導体デバイス等の電子部品を洗浄するような洗浄用機能水は必要としない。すなわち、この種の洗浄には、安価で大量に使用できることが重要で、その上で水垢が残らず、洗浄後の静電気を防止できるような洗浄水が望まれている。
【０００７】
更に、太陽光パネルや街頭広告等は、高所に設置されているので、大量の洗浄水を用意できたとしても、高所での作業に適した使用が必要になる。
【０００８】
そこで本考案は、上述の課題を解消すべく案出されたもので、太陽光パネルや高所に設置された街頭広告、高層階のガラス窓など、高所、広範囲の洗浄に適した純水洗浄装置の提供を目的とする。
【課題を解決するための手段】
【０００９】
上述の目的を達成すべく本考案の第１の手段は、イオン交換樹脂Ｐが充填され、該精製タンク２に注入した水道水が精製タンク２内部のイオン交換樹脂Ｐに接することで純水に精製されるように構成した精製タンク２と、該精製タンク２で精製された純水を給水ホース５で給水する給水ポンプ３と、該給水ポンプ３を稼動せしめるバッテリー４とをキャリア１に設置して移動自在に構成し、精製タンク２から純水を給水せしめる給水ホース５を洗浄面まで支持する支持パイプ６と、該支持パイプ６の先端に着脱自在装着され洗浄面を洗浄せしめる洗浄ブラシ７とを備えたことにある。
【００１０】
第２の手段において、前記洗浄ブラシ７は、前記支持パイプ６の先端部に着脱自在に装着され、モーター７Ａにて回転せしめる左右一対の回転ブラシ体７Ｂを備え、該回転ブラシ体７Ｂはそれぞれ交換自在に構成されたものである。
【００１１】
第３の手段の前記支持パイプ６は、チタン製の支持パイプ６とカーボン製の支持パイプ６とが組み合わせ自在に構成され、一定長さの各支持パイプ６が互いにネジ止めされる連結端部を有すると共に、給水ホース５に巻き付けて給水ホース５を支持パイプ６に固定する面ファスナー製の固定ベルト８を装着したものである。
【００１２】
第４の手段において、前記給水ポンプ３は、洗浄液を吸い上げて前記支持パイプ６に前記給水ホース５と共に併設される洗浄液ホース１０から配水するように構成されたことを課題解消のための手段とする。
【考案の効果】
【００１３】
本考案の請求項１の如く、移動自在な精製タンク２で精製した純水を給水せしめる給水ホース５に、該給水ホース５を洗浄面まで支持する支持パイプ６を設け、支持パイプ６の先端に洗浄ブラシ７を備えているので、高所での洗浄を容易にすることができる。
【００１４】
また、精製タンク２は、イオン交換樹脂Ｐが充填され、該精製タンク２に注入した水道水が精製タンク２内部のイオン交換樹脂Ｐに接することで純水に精製される構成を成しているので、従来の電子部品を洗浄する洗浄水製造装置のような大掛かりな装置は不要である。しかも、水道水がイオン交換樹脂Ｐに接すると、水道水に含まれているカルシウム成分や鉄成分等が除去されるので、乾燥しても水垢として残る成分を除去することができる。この結果、安価で大量に使用でき洗浄後に水垢が残らず静電気も防止することができる。
【００１５】
請求項２の如く、モーター７Ａにて回転せしめる左右一対の回転ブラシ体７Ｂを備え、該回転ブラシ体７Ｂをそれぞれ交換自在に設けた洗浄ブラシ７により、洗浄面の材質や汚れ具合に対応した合理的な洗浄ができる。
【００１６】
請求項３に記載の支持パイプ６のように、チタン製の支持パイプ６とカーボン製の支持パイプ６とが組み合わせ自在に構成され、一定長さの各支持パイプ６が互いにネジ止めされる連結端部を有することで、例えば１本１.５ｍほどの支持パイプ６を１０本程度連結して１５ｍまで延長することが可能になる。この結果、脚立やはしごとうを利用しなくても、太陽光パネルや高所に設置された街頭広告、高層階のガラス窓など、高所、広範囲の洗浄を可能にしている。
【００１７】
請求項４によると、給水ポンプ３は、洗浄液を吸い上げて前記支持パイプ６に前記給水ホース５と共に併設される洗浄液ホース１０から配水するように構成しているので、例えば、鳥の糞などがこびり付いていても簡単に除去することができる。
【図面の簡単な説明】
【００１８】
【図１】本考案の一実施例を示す斜視図である。
【図２】本考案の精製タンクを示す概略断面図である。
【図３】本考案の支持パイプの連結端部を示す要部斜視図である。
【図４】本考案の洗浄ブラシの一実施例を示す斜視図である。
【図５】本考案の使用例を示す斜視図である。
【考案を実施するための形態】
【００１９】
このように本考案によると、太陽光パネルや高所に設置された街頭広告、高層階のガラス窓など、高所、広範囲の洗浄に適するなどといった目的を実現した。
【実施例】
【００２０】
以下、本考案の一実施例を説明する。本考案の基本構成は、精製タンク２、給水ポンプ３、バッテリー４をキャリア１に搭載して移動自在に構成したものである（図１参照）。
【００２１】
図１のキャリア１は、キャスター１Ａ付きの基台１Ｂに強化枠１Ｃを設けたもので、該精製タンク２で精製された純水を給水ホース５も載置している。
【００２２】
精製タンク２は、内部にイオン交換樹脂Ｐが充填されており、精製タンク２内に注水された水道水を純水に精製する（図２参照）。この精製タンク２内では、水道水が精製タンク２内部のイオン交換樹脂Ｐに接することで、水の分子構造がイオン化されて水素イオンや酸素イオンに分離される際に、カルシウムイオンや鉄イオンなどが分離された結果、純水に精製されるものである。したがって、この精製タンク２は、従来の洗浄用機能水製造装置の如く、純水に水素ガスやアルカリイオン等を溶解せしめるような特殊な構成は要しない。図示例の精製タンク２は、注水管２Ａから水道水が注水され、精製タンク２内部のイオン交換樹脂Ｐに接触して精製された純水は、精製タンク２の底部から排出管２Ｂを通して給水ホース５に給水されるものである。
【００２３】
給水ポンプ３は、キャリア１に搭載したバッテリー４で稼動し、キャリア１内の純水を給水ホース５で高所まで給水するものである（図５参照）。この給水ポンプ３はまた、別途、洗浄液（図示せず）を吸い上げて前記支持パイプ６に前記給水ホース５と共に併設される洗浄液ホース１０から配水するように構成している。洗浄液は、汚れの程度や付着物等に応じて自由に選択できるもので、通常は、純水のみが使用される。また、洗浄液を使用する場合は、給水ホース５で送水する水を純水から水道水に変更する手段を備えることで、より多様な洗浄を可能にすることができる。
【００２４】
支持パイプ６は、精製タンク２から純水を給水せしめる給水ホース５を洗浄面まで支持する部材である（図５参照）。この支持パイプ６は、耐衝撃性に優れたチタン製の支持パイプ６と、極めて軽量なカーボン製の支持パイプ６とを組み合わせ自在に構成することで、洗浄場所や作業内容に最適な支持パイプ６を構成することができる。そして、一定長さの各支持パイプ６を連結できるようにするため、各支持パイプ６の端部に、互いにネジ止めされる連結端部を設けている（図３参照）。図示の連結端部は、雄ネジ部６Ａと雌ネジ部６Ｂとで互いに連結すると共に、雌ネジ部６Ｂがわの支持パイプ６側面から雄ネジ部６Ａがわに挿入してネジ止めする止着ネジ６Ｃを併用して連結強度を高めている。また、多数本の支持パイプ６を使用することから、これらの支持パイプ６を収納・運搬する移動自在なパイプラック９を備えている（図１参照）。図示のパイプラック９は、キャスター９Ａ付きの基台９Ｂに、支持パイプ６を整列支持する支持枠９Ｃを設けたものである。
【００２５】
更に、支持パイプ６には、給水ホース５や洗浄液ホース１０に巻き付けて給水ホース５を支持パイプ６に固定する面ファスナー製の固定ベルト８を装着している（図３参照）。この固定ベルト８で給水ホース５を固定することで、精製タンク２から給水される純水や、別系統で供給する洗浄液を所定の洗浄面まで送水することができる（図５参照）。
【００２６】
洗浄ブラシ７は、支持パイプ６の先端に着脱自在装着され洗浄面を洗浄せしめる部材である。この洗浄ブラシ７は、前記支持パイプ６に着脱自在に装着されており、モーター７Ａにて回転せしめる左右一対の回転ブラシ体７Ｂを備える（図４参照）。図示例では、支持パイプ６の最先端部に設けられた連結管６Ｄ内に、洗浄ブラシ７の基端部に設けられた連結軸７Ｃを挿し込み自在に設け、この連結軸７Ｃの側面に突設した係止突起７Ｄを連結管６Ｄの側面に開穿した係止孔６Ｅに嵌合させる構造を成している。更に、回転ブラシ体７Ｂは、それぞれ交換自在に構成され、洗浄条件に併せて、材質、硬度が異なった任意の回転ブラシ体７Ｂを任意に交換するものである。また、洗浄ブラシ７は図示例に限られず、これまで壁面洗浄やガラス洗浄に使用している各種の洗浄部材を適宜選択使用することが可能である。
【００２７】
本考案を使用する手順は次のとおりである。まず、水道水を精製タンク２に注水して純水を精製する。このとき、水道から直接注水できない場合は、水タンク（図示せず）等に汲み上げた水道水を精製タンク２に注水しても良い。次に、支持パイプ６を連結して所定の長さに設置し、この支持パイプ６に給水ホース５を固定する。そして、給水ポンプ３を稼動させて支持パイプ６の先端から純水を排出しながら洗浄ブラシ７で洗浄するものである（図５参照）。また、必要に応じて洗浄液ホース１０からの洗浄水や給水ホース５内の純水を水道水に変更することも可能である。
【００２８】
尚、本考案の各構成は図示例に限定されるものではなく、本考案の要旨を変更しない範囲において自由に変更できるものである。
【産業上の利用可能性】
【００２９】
本考案によると、太陽光パネルや高所に設置された街頭広告、高層階のガラス窓などを洗浄するほか、低層階のガラス窓や列車の窓など、あらゆる洗浄に使用することが可能である。
【符号の説明】
【００３０】
Ｐ  イオン交換樹脂
１  キャリア
１Ａ  キャスター
１Ｂ  基台
１Ｃ  強化枠
２  精製タンク
２Ａ  注水管
２Ｂ  排出管
３  給水ポンプ
４  バッテリー
５  給水ホース
６  支持パイプ
６Ａ  雄ネジ部
６Ｂ  雌ネジ部
６Ｃ  止着ネジ
６Ｄ  連結管
６Ｅ  係止孔
７  洗浄ブラシ
７Ａ  モーター
７Ｂ  回転ブラシ体
７Ｃ  連結軸
７Ｄ  係止突起
８  固定ベルト
９  パイプラック
９Ａ  キャスター
９Ｂ  基台
９Ｃ  支持枠
１０  洗浄液ホース
【図１】
0003161830.tif 000003
【図２】
0003161830.tif 000004
【図３】
0003161830.tif 000005
【図４】
0003161830.tif 000006
【図５】
0003161830.tif 000007